(57)【特許請求の範囲】
【請求項１】
光源と光源を点灯させる点灯手段とを有する照明器具と、
所定空間の人体の有無を検出する人体センサを内蔵し、前記人体センサの検出値を受けて、ある一定の保持時間だけ前記光源の光出力を制御する制御部を備える照明制御装置と、
照明制御装置の外部に設けられた外部人体センサとを備え、
外部人体センサの検知情報または照明制御装置に内蔵した人体センサの検知情報を制御部より他に移報する照明装置であって、
検知している人体センサによって、人体検知情報の移報出力の保持時間を変化させることを特徴とする照明装置。
【請求項２】
請求項１において、検知している人体センサの組み合わせによって、人体検知情報の移報出力の保持時間を変えることを特徴とする照明装置。
【請求項３】
請求項１において、検知している人体センサに代えて、検知していない人体センサによって、人体検知情報の移報出力の保持時間を変えることを特徴とする照明装置。
【請求項４】
請求項１〜３のいずれかにおいて、人体検知情報の移報出力の保持時間を変化させる手段に代えて、あるいは、それと共に、移報出力値そのものを変化させることを特徴とする照明装置。
【発明の詳細な説明】
【０００１】
【発明の属する技術分野】
本発明は照明装置に関するものであり、外部機器と連動を行うために、人体の検知情報を移報出力する照明制御装置の改良に関するものである。
【０００２】
【従来の技術】
従来例のブロック図を図３に示す。光源と光源を点灯させる点灯手段とを有する照明器具Ｌ１，Ｌ２と、人体センサＳ０，…，Ｓｎからの検知情報により前記照明器具Ｌ１，Ｌ２の光源の光出力をある一定の保持時間だけ制御する制御部Ｃとを備える照明制御装置Ａとから構成されている。照明制御装置Ａは、所定空間の人体の有無を検出する人体センサＳ０を内蔵しており、さらに、装置Ａの外部に外部人体センサＳ１，…，Ｓｎを複数設けてあり、制御部Ｃで前記人体センサＳ０の検出値と外部人体センサＳ１，…，Ｓｎの検知情報のＯＲを取り、前記照明器具Ｌ１，Ｌ２の光源の光出力をある一定の保持時間だけ制御するものである。保持時間は決められた範囲内で選択が可能である。この光源の光出力を制御する信号を、そのまま移報出力として用いて外部機器を制御した場合、照明器具Ｌ１，Ｌ２の制御に必要な保持時間と外部機器側の検知タイミングが合わない場合に問題が生じることがあった。
【０００３】
【発明が解決しようとする課題】
本発明は上述のような点に鑑みてなされたものであり、外部機器との連動を考慮して、人体検知情報の移報出力の保持時間を可変とした照明装置を提供することを課題とする。
【０００４】
【課題を解決するための手段】
本発明にあっては、上記の課題を解決するために、図１に示すように、光源と光源を点灯させる点灯手段とを有する照明器具Ｌ１，Ｌ２と、所定空間の人体の有無を検出する人体センサＳ０を内蔵し、前記人体センサＳ０の検出値を受けて、ある一定の保持時間だけ前記光源の光出力を制御する制御部Ｃを備える照明制御装置Ａと、照明制御装置Ａの外部に設けられた外部人体センサＳ１，…，Ｓｎとを備え、外部人体センサＳ１，…，Ｓｎの検知情報または照明制御装置Ａに内蔵した人体センサＳ０の検知情報を制御部Ｃより他に移報する照明装置であって、検知している人体センサによって、人体検知情報の移報出力の保持時間を変化させることを特徴とする。
【０００５】
【発明の実施の形態】
（前提となる構成１）
本発明の前提となる構成１に係る照明装置のブロック図を図１に示す。この照明装置は、光源と光源を点灯させる点灯手段とを有する照明器具Ｌ１，Ｌ２と、所定空間の人体の有無を検出する人体センサＳ０を内蔵し、前記人体センサＳ０の検出値を受けて、ある一定の保持時間だけ前記光源の光出力を制御する制御部Ｃを備える照明制御装置Ａからなる。さらに、外部に外部人体センサＳ１，…，Ｓｎを複数設けて、制御部Ｃでは前記人体センサＳ０の検出値と外部人体センサＳ１，…，Ｓｎの検知情報のＯＲを取り、外部に移報を行うと共に、前記照明器具Ｌ１，Ｌ２の光源の光出力をある一定の保持時間Ｔ１だけ制御する。保持時間Ｔ１は決められた範囲内で選択が可能であり、モード（通常、テスト、調整）やシーン等によって、異なる複数の保持時間が設定できる。また、外部への移報出力については、照明器具Ｌ１，Ｌ２の制御とは別の保持時間Ｔ２が設定される。
【０００６】
本実施形態の動作を図２のフローチャートに示す。図中、Ｔ１はモードやシーン等によって設定された照明器具Ｌ１，Ｌ２の保持時間であり、人体センサＳ０，…，Ｓｎのいずれかが人を検知すると、モードやシーンに応じて設定された異なる保持時間Ｔ１が設定されるものである。また、人体検知情報の外部への移報出力の保持時間Ｔ２は、照明器具Ｌ１，Ｌ２の保持時間Ｔ１とは別に、一定の保持時間を設定する。または、固定されたモードやシーンに設定された保持時間を移報出力の保持時間とする。これにより、制御部Ｃの制御状態（シーンやモード）に関わらずに、一定の保持時間Ｔ２で外部への移報出力がなされ、外部機器との連動が図れる。人体センサＳ０，…，Ｓｎが人を検知していないときには、保持時間Ｔ１，Ｔ２を計時タイマ値より、カウントダウンする。保持時間Ｔ１のカウント値がゼロになるまでは照明制御が維持され、ゼロになれば照明制御は停止される。また、保持時間Ｔ２のカウント値がゼロになるまでは移報出力はＯＮに維持され、ゼロになれば移報出力はＯＦＦになる。
【０００７】
（前提となる構成２）
上述の前提となる構成１では、内蔵した人体センサＳ０と外部人体センサＳ１，…，Ｓｎの検知情報のＯＲを取り、他に移報出力を行うのに対して、本例では、前提となる構成１において、内蔵した人体センサＳ０と外部人体センサＳ１，…，Ｓｎの非検知情報のＯＲを取り、他に移報出力を行う。移報出力の保持時間Ｔ２は一定の保持時間とする。このようにすれば、人が居ない状態についての情報が必要な外部機器との連動が有効に行われる。
【０００８】
（実施形態１）
前提となる構成１または２において、検知している人体センサＳ０と外部人体センサＳ１，…，Ｓｎによって、または、検知していない人体センサＳ０と外部人体センサＳ１，…，Ｓｎによって、人体検知情報の移報出力の保持時間Ｔ２を外部機器に合わせて変える。このようにすれば、人の在室位置等を、外部機器に伝えることができる。すなわち、人体センサＳ０と外部人体センサＳ１，…，Ｓｎの設置場所は既知であるので、各センサごとに固有の保持時間Ｔ２（０），Ｔ２（１），…，Ｔ２（ｎ）を割り当てておけば、移報出力の保持時間を計測することにより、どのセンサが検知したか、あるいは、どのセンサが非検知であるかを外部機器の側で判定することができる。
【０００９】
（実施形態２）
前提となる構成１の構成において、人体センサＳ０と外部人体センサＳ１，…，Ｓｎの検知回数や組み合わせ、人体センサＳ０と外部人体センサＳ１，…，Ｓｎが検知し、次の検知を行うまでの検知間隔、または、非検知間隔によって、人体検知情報の移報出力の保持時間Ｔ２を外部機器に合わせて変える。このようにすれば、およその人の数や人の活動状況を、外部機器に伝えることができる。
【００１０】
（実施形態３）
実施形態１または２において、人体検知情報の移報出力の保持時間を変化させる手段に代えて、あるいは、それと共に、移報出力値を変化させる。変化させる値としては、移報出力がＤＣ電圧信号である場合にはその電圧レべルを変える。また、移報出力が矩形波信号である場合には、そのオン・オフのデューティ比を変える。あるいは、一定周期内に含まれるパルス数を変える。さらに、移報出力としてシリアルデータ伝送信号を用いる場合には、そのデジタル信号の内容を変える。このようにすれば、外部機器に対して、詳細な情報伝達が必要な場合にも対応できる。
【００１１】
【発明の効果】
本発明によれば、光源と光源を点灯させる点灯手段とを有する照明器具と、所定空間の人体の有無を検出する人体センサを内蔵し、前記人体センサの検出値を受けて、ある一定の保持時間だけ前記光源の光出力を制御する制御部を備える照明制御装置と、照明制御装置の外部に設けられた外部人体センサとを備え、外部人体センサの検知情報または照明制御装置に内蔵した人体センサの検知情報を制御部より他に移報する照明装置であって、検知している人体センサによって、人体検知情報の移報出力の保持時間を変化させるようにしたので、人が居ない状態、人の在室位置、あるいは、人の数や活動状況を外部機器に伝えることができ、外部機器に対して、詳細な情報伝達が可能となる。
【図面の簡単な説明】
【図１】  本発明の前提となる構成１のブロック図である。
【図２】  本発明の前提となる構成１の動作説明のためのフローチャートである。
【図３】  従来例のブロック図である。
【符号の説明】
Ａ              照明制御装置
Ｃ              制御部
Ｌ１，Ｌ２      照明器具
Ｓ０            人体センサ
Ｓ１，…，Ｓｎ  外部人体センサ
【図１】
0003963074.tif 000002
【図２】
0003963074.tif 000003
【図３】
0003963074.tif 000004